(57)【要約】【課題】  本発明は、侵入者が敷地内に侵入することを静電センサーによって検知して被害の発生を事前に抑止し得る敷地内の防犯システムと防犯住宅を目的とする。【解決手段】  敷地内のプライベートゾーン１６やケアゾーン１７等の所定位置に敷設された静電センサー３は防水シート４によって被覆され、かつ静電センサー３の上には緩衝材５、樹脂ネット６、モルタル層８、複数のタイル９が順に積層されて検知体１０を構成している。この静電センサー３には防犯装置に接続された信号線２が連結されている。【選択図】      図２
2005284480.tif 000002
【特許請求の範囲】
【請求項１】
敷地内への人物の立ち入りを検知し得るセンサーと該センサーの検知信号を受信する受信機と該受信機の指示により作動する告知機とからなる防犯装置を用いてなり、前記センサーが静電容量の変化を検知する静電センサーであり、かつ該静電センサーが敷地内の所定位置に設置されていることを特徴とした敷地内防犯システム。
【請求項２】
前記敷地内に埋設された静電センサーの上にタイル、敷石、コンクリート、アスファルト、芝生等の仕上材を積層して構成したことを特徴とした請求項１或は請求項２の敷地内防犯システム。
【請求項３】
増幅用導電体を介して導電率或は静電容量を検知可能としたことを特徴とした請求項１乃至請求項３の敷地内防犯システム。
【請求項４】
前記防犯装置の静電センサーは、導電率が０．０１〜２Ｓ／ｍの範囲のものの近傍により引き起こされる静電容量の変化を検知することにより告知機を作動するように構成したことを特徴とした請求項１乃至請求項４の敷地内防犯システム。
【請求項５】
請求項１乃至４に記載の防犯システムを有し、静電センサーもしくは増幅用導電体からなる検知体の設置領域を、敷地内に人物が自由に立ち入ることを許容する領域と立ち入りを防止する領域との境界領域、及び道路や隣地から死角となる窓もしくはドアの周辺領域としたことを特徴とした防犯建物。
【請求項６】
建物、或は外構を構成するフェンス、門扉、植栽の配置により領域敷地内に立ち入った人物の歩行可能領域を所定範囲に限定し、該所定範囲内部に人物が立ち入った際に請求項１乃至４に記載の防犯システムが作動し、人物の立ち入りを検知し得るように構成したことを特徴とした防犯建物。 
【発明の詳細な説明】
【技術分野】
【０００１】
本発明は、敷地内の侵入者を速やかにかつ確実にキャッチして侵入者による被害を効果的に防止し得る敷地内防犯システム及び防犯建物に係り、特に静電センサーを敷地内の所定個所に配設して人物の立入りを告知するようにした防犯システム及び防犯建物に関するものである。
【背景技術】
【０００２】
従来の敷地内の侵入者の防犯対策としては、侵入者が敷地内に侵入することを防止するために、敷地を固い門扉をつけたり、侵入者を光や音で威嚇したり、住宅の開口部を強化して侵入し難くすると共に、建物内部に侵入された場合には、警備会社に通報する警備システムを取り付ける等の手段が取られている。
【０００３】
従来の公知文献としては、例えば特開平６−１１９５７５号公報（特許文献１）に示すように、建物の周りの敷地内の所定個所に複数の防犯センサーを設置し、これ等の防犯センサーで敷地内或は建物内の侵入者の監視を行うようにした技術が知られている。
【０００４】
また、例えば特開２００２−１４０７７１号公報（特許文献２）に示すように、病院、老人介護施設等の建物内に敷設されるタイルの裏側凹部に接触センサーを格納し、このタイル上を通過する人体を検出するセキュリティシステムも知られている。
【０００５】
【特許文献１】特開平６−１１９５７５号公報
【特許文献２】特開２００２−１４０７７１号公報
【発明の開示】
【発明が解決しようとする課題】
【０００６】
前述の特許文献１に記載された技術を含めて従来の敷地内、建物等に使用されていた検知センサーとしては、熱線式赤外線センサー、赤外線ビームセンサーが一般的に使用されたいた。
【０００７】
然るに、前述の熱線式赤外線センサー及び赤外線ビームセンサー等の赤外線を用いたセンサーを用いて敷地内の検知を行う方式の内で、特に熱線式の場合は、犬、猫等の小動物或は自動車のライトに反応して誤動作をする問題があった。また、ビーム遮断式の場合は、ビーム間を通過する小動物、枯葉等に反応して誤動作してしまう問題があった。
【０００８】
前述の問題を解決するために、熱線式に於ては、検知範囲を調節する方法も実施されているが、その検知範囲を厳密に調節することが難しく、隣家や道路にいる人に対しても反応してしまうことがある等の問題もあった。また、ビーム遮断式に於ては、ビーム数を増加する対策も取られているが、この場合にはセンサー本体が大きくかつコスト高になる問題があった。かつ、前述のビーム遮断式では、検知範囲を自由に調節することは出来るが、その検知範囲が侵入者にも知られるので、逆に侵入者が潜り抜けなどの回避行動をしてその範囲を逃れて侵入して来る場合もある等の問題があった。
【０００９】
前述の特許文献２に記載された技術は、センサーとして接触センサー（静電センサー）を用いる方式であるが、下面に凹部がある極めて特殊なタイルを使用しなければならず、コスト高になる等の問題があった。また、この特許文献２の方式は、建物に組込まれた状態で使用することを前提にしているので、屋外での使用を想定しておらず、降雨等によるセンサーの誤作動を防ぐ方法については考えられていない、という問題があった。
【００１０】
本発明は前述の多くの問題点に鑑み開発された全く新規な発明であって、特に検知センサーとして静電容量の変化を検知する静電センサーを使用し、該静電センサーの検知信号を受信する受信機と該受信機の指示により作動する警報機、ランプ、受像機等の告知機からなる防犯装置を敷地内、建物の窓、ドア付近の外構、植栽等の所定位置に設置して構成した防犯システム或は防犯住宅の技術を提供するものである。
【課題を解決するための手段】
【００１１】
本発明の敷地内の防犯システムは、前述の従来の問題点を根本的に改善した発明であって、その第１発明の要旨は、敷地内への人物の立ち入りを検知し得るセンサーと該センサーの検知信号を受信する受信機と該受信機の指示により作動する告知機とからなる防犯装置を用いてなり、前記センサーが導電率或は静電容量を検知する静電センサーであり、かつ該静電センサーが敷地内の所定位置に設置されていることを特徴とした敷地内防犯システムである。
【００１２】
本発明に係る敷地内防犯システムの第２発明の要旨は、前記敷地内に埋設された静電センサーの上にタイル、敷石、コンクリート、アスファルト、芝生等の仕上材を積層して構成したことを特徴とした第１発明の敷地内防犯システムである。
【００１３】
本発明に係る敷地内防犯システムの第３発明の要旨は、増幅用導電体を介して静電容量を検知可能としたことを特徴とした第１発明或は第２発明の敷地内防犯システムである。
【００１４】
本発明に係る敷地内防犯システムの第４発明の要旨は、前記防犯装置の静電センサーは、導電率が０．０１〜２Ｓ／ｍの範囲のものの近傍により引き起こされる静電容量の変化を検知することにより告知機を作動するように構成したことを特徴とした第１発明乃至第４発明の敷地内防犯システムである。
【００１５】
本発明に係る第５発明の防犯建物の要旨は、第１発明乃至第４発明に記載の防犯システムを有し、静電センサーもしくは増幅用導電体からなる検知体の設置領域を、敷地内に人物が自由に立ち入ることを許容する領域と立ち入りを防止する領域との境界領域、及び道路や隣地から死角となる窓もしくはドアの周辺領域としたことを特徴とした防犯建物である。
【００１６】
本発明の第６発明の防犯建物の要旨は、建物、或は外構を構成するフェンス、門扉、植栽の配置により領域敷地内に立ち入った人物の歩行可能領域を所定範囲に限定し、該所定範囲内部に人物が立ち入った際に請求項１乃至４に記載の防犯システムが作動し、人物の立ち入りを検知し得るように構成したことを特徴とした防犯建物である。
【発明の効果】
【００１７】
前述の第１発明に於ては、前述のようにセンサーを静電容量の変化を検知する静電センサーにしたので、従来の赤外線を用いた検知センサーのように小動物や枯葉等によって誤動作することがない。また、センサーの設置位置により検知する敷地内の検知範囲を簡単かつ厳密に調整することが出来る。
【００１８】
かつ、静電センサーで検知するので、赤外線を用いたビーム遮断方式の場合と異なり、侵入者に敷地内の検知範囲を悟らせることがなく、従って侵入者が意図的に検知範囲から逃れることを防止出来る。さらに、第１発明に係る防犯システムは、防水シート等を用いて簡単に防水処理することが出来るので、屋外での使用が可能となる。
【００１９】
本発明の第２発明に於ては、前述のように静電センサーを敷地内に埋設し、その静電センサーの上にタイル、敷石、コンクリート、アスファルト、芝生等の仕上材を積層したので、該静電センサーを仕上材で完全に被覆して侵入者から見えなくすることが出来る。さらに、これ等の仕上材によって静電センサーを保護し、静電センサーを長年に亘って使用することが出来るようにすることも出来る。
【００２０】
前記第３発明に於ては、増幅用導電体を使用するので、高価な静電センサーの使用数量は最小限に留めて、導電体で構成された一般的な材料（例えば金属板、ラス網、鉄骨、針金、銅線等）を静電センサーに近接して設置し、静電センサーの電界範囲を増幅するように構成することによって、コストを低減することが出来る。また、一般的な導電体は現場加工も容易であり、個別の敷地条件に合致した施工が可能となる。
【００２１】
本発明の第４発明に於ては、前述のように防犯装置の静電センサーを導電率が０．０１〜２Ｓ／ｍの範囲のものの近傍により引き起こされる静電容量の変化を検知した場合に初めて告知機が作動するようしたので、この範囲以外の場合には告知機が作動することがなく、従って、小動物や枯葉等の導電率が異なる物が通過しても、告知機が作動することはない。
【００２２】
前記第５発明の防犯建物に於ては、侵入者の行動特性上侵入者が立ち入る可能性の極めて高い領域に限定して静電センサーを敷設することにより、静電センサーや静電センサー上面を覆う仕上材の施工の手間やコストを低減しつつ、侵入者が確実に検知可能な防犯性能の優れた建物とすることが出来る。
【００２３】
前記第６発明の防犯建物に於ては、建物、或は外構を構成するフェンス、門扉、植栽の配置を工夫して、敷地内に立ち入った人物の歩行可能領域を所定範囲に限定し、限定された範囲内に限って、静電センサーや静電センサーに近接する増幅用導電体からなる検知体を設置することにより、検知体や検知体上面を覆う仕上材の施工の手間やコストを低減しつつ、侵入者が確実に検知可能な防犯性能の優れた建物とすることが出来る。
【発明を実施するための最良の形態】
【００２４】
図により本発明に係る敷地内防犯システム及び防犯建物の一実施例を具体的に説明すると、図１は静電センサーの原理説明図、図２は本発明の静電センサーを面状に構成した場合の説明図、図３は導電体を使用した場合の説明図、図４は静電センサーを複数並列して構成した場合の説明図、図５は敷地内にセンサーを敷設した場合の第１実施例を示す斜視図、図６は敷地内にセンサーを敷設した場合の第２実施例を示す斜視図、図７は敷地内にセンサーを敷設した場合の第３実施例を示す斜視図である。
【００２５】
静電センサーの構成、その原理或は使用例等については、例えば特開平１１−９４９５２号公報公報或は前述の特許文献１等に於て公知であるが、本発明に使用される静電センサーの特徴及び原理について説明すると次の通りである。
【００２６】
図１に於て、静電センサーの作動原理について簡単に説明すると次の通りである。電極付近に検知対象物が存在しない状態では、（ａ）図に示すような電界を構成しているが、検知対象物が近接すると、検知対象物の導電性によって、一部の電気力線が検知対象物に吸収され、（ｂ）図に示すように静電容量が減少する。この際の静電容量の減少量によって検知対象物を検知する。
【００２７】
静電容量の変化量は導電性の大きさ（導電率）に比例し、夫々の物体は特定の範囲の導電率を有しているので、人体特有の導電率０．０１〜２Ｓ／ｍ（ａｔ３６℃）の範囲を検知するようにセンサーを設定することにより、侵入者のみを検知し、小動物や枯葉等による誤作動を防止することが出来る。
【００２８】
図２に於て、静電センサーを面状に構成した実施例について説明する。敷地内の地上に敷設された左右に長い直線状の静電センサー３は、軟質塩化ビニール等の防水シート４によって全体が被覆されて完全に防水処理され地面に敷設されている。この静電センサー３には信号線２が連結されている。このように軟質塩化ビニール等の防水シート４を利用した場合には、ＴＨＦ溶剤により現場で接合面を容易に溶着でき、かつ検知体に可とう性がある場合には検知体の変形に追従し易く、さらに弾力性があるので検知体の保護を兼ねることが出来る。
【００２９】
５は発泡樹脂等で形成された緩衝材であって、静電センサー３の上に積層されている。また、この緩衝材５の上には樹脂ネット６が積層されている。この樹脂ネット６の上には更にモルタル層８を介して複数のタイル９が順に並列されて積層されている。また、タイル９の相互間の隙間には小石７が充填されて全体として検知体１０を構成している。
【００３０】
図３に於て、導電体を使用した実施例について説明する。この実施例に於ては、前述の図２に示す静電センサー３の場所に増幅用導電体１を配設し、増幅用導電体１に信号線２を介して静電センサー３を連結している。この場合の静電センサー３は、増幅用導電体１と同様に地面に配設しても良いし、或は外部の例えば建物の壁面等に取付けることも可能である。一般的な導電体は現場加工も容易であり、個別の敷地条件に合致した施工が可能である。
【００３１】
図４について静電センサー３を分割した実施例について説明する。この場合には複数の静電センサー３が所定の間隔を保って個々に独立して並列されており、かつ個々の静電センサー３に対応する上方に夫々タイル９が敷設されている。このように静電センサー３を複数にすると共に、個々のタイル９に対応して静電センサー３を配置した場合には、このタイル９を通過する侵入者の動向を正確に検知することが出来る。
【００３２】
本発明の実施に当っては、一般のタイル、敷石、コンクリート、アスファルト、芝生等の仕上材を静電センサー３或は増幅用導電体の上に直接敷設することが出来、現場施工が極めて容易であり、個別に敷地用件に合致した施工を実施することが出来る。
【００３３】
前記実施例の説明は、いずれも検知体１０を面状に形成した場合の説明であるが、検知体１０は、例えば規定される侵入ルートに沿って線状に設置することも可能である。また、設置部位も敷地内の地面に限定されるものではなく、人物の通行による静電容量の変化を検知し得る位置であれば建物や外構の壁面や植栽の内部等でも構わない。
【００３４】
また、建物の外装部品や外構部品のうち導電体で構成されたもの（例えば、外壁パネルの支持金物、金属製の窓枠、窓ガラス、フェンス等の金属製外構部品）を静電センサー３に近接させ増幅用導電体１として利用することも可能である。これによってコストや施工の手間を低減することが可能となる。
【第１実施例】
【００３５】
次に、図５に於て本発明に係る検知体１０を敷地内に配置する場合の第１の実施例を具体的に説明する。１１は敷地であって、敷地１１の道路１４から見て右寄りの位置に建物１２が建設されている。１３は来客や宅配業者等の部外者の出入りを許容するアクセスゾーンである。部外者の立ち入りを防止する防犯ゾーンのうち、１６は道路や隣地からの見通しが確保されたプライベートゾーンであり、１７は該防犯ゾーンのうち、建物１２や塀２１等によって遮蔽され道路１４上の通行人１５や隣地の住人の目の届かないケアゾーンである。
【００３６】
プライベートゾーン１６とアクセスゾーン１３の境界線上には、プライベートゾーン１６の見通しを阻害せず、なおかつプライベートゾーン１６への立ち入りをある程度防止し得る構造のフェンス１８や門扉１９が設けられている。また、プライベートゾーン１６は、アクセスゾーン１３との境界領域に於て、隣地境界線上或は道路境界線上に配設されたフェンス２０或は塀２１と建物１２によって、巾方向の移動が制限されている。そして、該境界領域に於て、巾方向にわたって全面的に第１の検知体１０が配設されている。検知体１０の上面は、タイル９等の仕上材で覆われており、侵入者に検知体１０の存在を察知されないように構成されている。
【００３７】
この領域は善良な部外者を装ってアクセスゾーン１３に立ち入った侵入者が、通行人１５が途絶えたのを見計らってプライベートゾーン１６に侵入する際に必ず通過する領域であり、この領域に検知体１０を配設することにより、フェンス１８を乗り越え、或は門扉１９を開けて侵入してきた侵入者を確実に検知することが出来る。検知体１０の配設長さは特に制限はないが、検知を確実に行う為には、検知体１０を侵入者が跨いで通過する恐れのない長さ、つまり成人の歩幅以上の長さとすることが好ましい。
【００３８】
ケアゾーン１７に於ける建物の窓の下部の領域には第２の検知体１０が配設されている。この領域は、隣地側からフェンス２０や塀２１を乗り越える等の方法でアクセスゾーン１３を経由せずにケアゾーン１７に侵入してきた侵入者が、窓のガラスを破壊するなどして建物内部へ侵入を試みる場合、必ず立ち入り、ある程度の時間作業を行う領域であり、この領域に第２の検知体１０を配設することで、侵入者の建物内への侵入を食い止めることが出来る。
【００３９】
また、上記防犯システムによれば、１つの静電センサー３で、複数の領域全体をカバーするようにすることや、所定の領域を分割し、分割されたブロックごとに（例えばタイル一枚毎に）独立した静電センサー３を設置することも可能である。特に後者の構成によれば、侵入経路を記録、検証し防犯対策に役立てることが可能となる。図中２２はカーポート、２３は自動車、２４はカーゲート、２５は植え込みである。
【第２実施例】
【００４０】
次に、図６に於て、本発明に係る静電センサー３もしくは静電センサー３に連結された増幅用導電体１で構成された検知体１０を敷地内に配置する場合の第２の実施例を説明する。第２の実施例に於ては、建物１２は道路から向かって敷地１１のほぼ中央に位置している。プライベートゾーン１６とアクセスゾーン１３の境界線上には、生垣２６やフェンス１８を設けてはいるが、完全には遮断せず部分的に故意に開放し通用口２７としている。そしてこのプライベートゾーン１６の通用口近傍の領域のみに検知体１０を配設している。
【００４１】
アクセスゾーン１３からプライベートゾーン１６に侵入する侵入者は、あえて生垣２６やフェンス１８を乗り越えるようなことはせず、侵入が容易な通用口２７を経由することが確実である。このような構成にして歩行ルートを限定することで、検知体１０の配設領域を必要最小限の範囲に限定することが出来る。歩行ルートを限定する他の方法としては、歩行時に音の発生する砂利を敷く方法がある。
【第３実施例】
【００４２】
次に、図７（ａ）、（ｂ）に於て、本発明に係る検知体１０を敷地内に配置する場合の第３の実施例を説明する。図７に示す実施例は、静電センサー３に近接させた金属製の建物外装部品及び外構部品を増幅用導電体１として活用した例であり、同図（ａ）に示す如く、敷地１１に於ける道路から見て右手のプライベートゾーン１６の隣地境界線側には植え込み２５が設けられている。また、敷地１１のケアゾーン１７の建物側には植え込み２５を設け、隣地境界線上には起立された金属製フェンス２０が設けられている。さらに金属製フェンス２０及び建物１２の金属製外壁パネル受け金物には、静電センサー３が連結されている。
【００４３】
プライベートゾーン１６やケアゾーン１７に侵入してきた侵入者は、同図（ｂ）に示す如く植え込み２５が障害物となり、増幅用導電体である建物１２（金属製外壁パネル受け金物）、或は金属製フェンス２０に沿って歩行することを余儀なくされる。このような構成にすることによって、検知体１０及び検知体１０を被覆する仕上材の設置が不要となり、施工の手間やコストの低減が可能となる。
【００４４】
また前記植え込み２５に替えて、第２の実施例と同様に歩行時に音の発生する砂利等を敷き込むことで、侵入者を検知体側１０に導くことが出来る。前記の如く植え込み２５等の障害物を設けなくとも、例えば、建物１２やフェンス２０に沿って部分的にタイル９やコンクリート等で仕上を施せば、地面に足跡を残すのを嫌う傾向にある侵入者は、自ずとタイル面やコンクリート面を歩行することになり、前記方法と同様に侵入者を検知体１０側に導くことが出来る。なお、建物と隣地の離隔距離が小さな場合には必然的に侵入者の侵入ルートが限定される為、本実施例に於ける植え込み２５等を省略しても同様の効果が期待出来る。
【産業上の利用可能性】
【００４５】
本発明の活用例としては、侵入者の侵入を効果的に防止し得る敷地内の防犯システムの設計或は防犯住宅の設計に利用することが出来る。特に侵入者が建物の窓、ドア等を破損する以前に侵入者を検知し、被害を抑止し得る防犯建物の設計等に利用することが出来る。
【図面の簡単な説明】
【００４６】
【図１】静電センサーの原理説明図である。
【図２】本発明の静電センサーを面状に構成した場合の説明図である。
【図３】導電体を使用した場合の説明図である。
【図４】静電センサーを複数並列して構成した場合の説明図である。
【図５】敷地内にセンサーを敷設した場合の第１実施例を示す斜視図である。
【図６】敷地内にセンサーを敷設した場合の第２実施例を示す斜視図である。
【図７】敷地内にセンサーを敷設した場合の第３実施例を示す斜視図である。
【符号の説明】
【００４７】
１      ・・・増幅用導電体
２      ・・・信号線
３      ・・・静電センサー
４      ・・・防水シート
５      ・・・緩衝材
６      ・・・樹脂ネット
７      ・・・小石
８      ・・・モルタル層
９      ・・・タイル
１０    ・・・検知体
１１    ・・・敷地
１２    ・・・建物
１３    ・・・アクセスゾーン
１４    ・・・道路
１５    ・・・通行人
１６    ・・・プライベートゾーン
１７    ・・・ケアゾーン
１８    ・・・フェンス
１９    ・・・門扉
２０    ・・・フェンス
２１    ・・・塀
２２    ・・・カーポート
２３    ・・・自動車
２４    ・・・カーゲート
２５    ・・・植え込み
２６    ・・・生垣
２７    ・・・通用口
【図１】
2005284480.tif 000003
【図２】
2005284480.tif 000004
【図３】
2005284480.tif 000005
【図４】
2005284480.tif 000006
【図５】
2005284480.tif 000007
【図６】
2005284480.tif 000008
【図７】
2005284480.tif 000009